(57)【要約】【課題】壁材の内部に浸入した水を壁外に排出することができる排水部材、及び排水構造を提供する。【解決手段】排水鋼板４は、外壁の内外に亘って取り付けられる。排水鋼板４は、外壁の切欠き部を下側から当接支持する樹脂ゴム４ｂと、樹脂ゴム４ｂよりも外壁の内側である奥行き方向の奥側に設けられ外壁内を流れる水を受ける水受け部４ｃと、樹脂ゴム４ｂの下方には、水受け部４ｃから奥行き方向手前側に延在する排出路４ｈが形成されている。【選択図】図３
2017180036.tif 000002
【特許請求の範囲】
【請求項１】
壁材の内外に亘って取り付けられる排水部材であって、
前記壁材の一部を下側から当接支持する当接支持部と、
前記当接支持部よりも前記壁材の内側である一方向側に設けられ前記壁材内を流れる水を受ける水受け部と、を備え、
前記当接支持部の下方には、前記水受け部から前記一方向側の逆側である他方向側に延在する排出路が形成されていることを特徴とする排水部材。
【請求項２】
前記壁材との間に充填されるシーリング材を保持する第１シーリング保持部を備え、
前記排出路は、前記当接支持部及び前記第１シーリング保持部の下方に形成されていることを特徴とする請求項１に記載の排水部材。
【請求項３】
前記排出路に繋がるガイド溝部を備え、
該ガイド溝部は、前記当接支持部よりも前記他方向側に形成されていることを特徴とする請求項１又は２に記載の排水部材。
【請求項４】
前記排水部材は、前記壁材に形成された切欠き部に差し込まれて取り付けられるものであり、
前記第１シーリング保持部の側方、且つ、下方に形成された第２シーリング保持部を備えることを特徴とする請求項２に記載の排水部材。
【請求項５】
前記当接支持部は、前記第１シーリング保持部から前記一方向側に連続する部位の上に取り付けられた樹脂材料であることを特徴とする請求項２に記載の排水部材。
【請求項６】
前記水受け部よりも前記他方向側に、前記壁材の壁面との間に充填されるシーリング材を保持する壁面側シーリング保持部を備えることを特徴とする請求項１乃至５のいずれか一項に記載の排水部材。
【請求項７】
前記水受け部は、前記壁材内を流れる水を受ける受け皿と、前記排出路以外の前記受け皿の周りに形成された上方に突出する縁部とによって形成されていることを特徴とする請求項１乃至６のいずれか一項に記載の排水部材。
【請求項８】
前記縁部の少なくとも一部の外面は、樹脂材料によって覆われていることを特徴とする請求項７に記載の排水部材。
【請求項９】
前記当接支持部よりも前記他方向側に、前記壁材の外面側に取り付けられた横架材に取り付けるための取付部を備えることを特徴とする請求項１乃至８のいずれか一項に記載の排水部材。
【請求項１０】
前記水受け部は、前記排出路に近づくにしたがって下方に傾斜して形成されていることを特徴とする請求項１乃至９のいずれか一項に記載の排水部材。
【請求項１１】
壁材の一部を下側から当接支持する当接支持部と、
前記当接支持部よりも前記壁材の内側である一方向側に設けられ前記壁材内を流れる水を受ける水受け部と、を備え、
前記当接支持部の下方には、前記水受け部から前記一方向側の逆側である他方向側に延在する排出路が形成されていることを特徴とする排水構造。
【請求項１２】
前記壁材との間に充填されるシーリング材を保持する第１シーリング保持部を備え、
前記排出路は、前記当接支持部及び前記第１シーリング保持部の下方に形成されていることを特徴とする請求項１１に記載の排水構造。
【請求項１３】
前記排出路に繋がるガイド溝部を備え、
該ガイド溝部は、前記当接支持部よりも前記他方向側に形成されていることを特徴とする請求項１１又は１２に記載の排水構造。
【発明の詳細な説明】
【技術分野】
【０００１】
本発明は、排水部材及び排水構造に係り、特に、壁材の内部に浸入した水を壁外に排出可能な排水部材及び排水構造に関する。
【背景技術】
【０００２】
従来から、壁材に止水部材を取り付けて、壁材内に水が浸入することを防止する技術が知られている。例えば、特許文献１には、水の入り込みやすい外壁間の目地部分に、テープ状乾式粘着止水材を取り付けたうえで、当該止水材によって、外壁の外面に取り付けられた金物に水を誘導する防水構造が開示されている。この構造によれば、テープ状乾式粘着止水材によって、目地部分への水の浸入を防止できる。
【先行技術文献】
【特許文献】
【０００３】
【特許文献１】特開２００６−２８３３８７号公報
【発明の概要】
【発明が解決しようとする課題】
【０００４】
しかしながら、特許文献１に開示されたテープ状乾式粘着止水材を、幅の狭い目地部分に取り付けるのは困難であり、作業効率が低下するため、実用性に乏しかった。
【０００５】
一方、目地部分に水が浸入することを防止するという従来の思想から、新たに観点を変えると、目地部分に浸入した水を壁外に排出することにより、壁の内側に湿気が籠もることを抑制することが考えられる。
【０００６】
本発明は、上記実情に鑑みてなされたものであり、壁材の内部に浸入した水を壁外に排出することができる排水部材、及び排水構造を提供することにある。
【課題を解決するための手段】
【０００７】
前記課題は、本発明に係る排水部材によれば、壁材の内外に亘って取り付けられる排水部材であって、前記壁材の一部を下側から当接支持する当接支持部と、前記当接支持部よりも前記壁材の内側である一方向側に設けられ前記壁材内を流れる水を受ける水受け部と、を備え、前記当接支持部の下方には、前記水受け部から前記一方向側の逆側である他方向側に延在する排出路が形成されていることによって解決される。
【０００８】
上記構成によれば、壁材の一部を当接支持部によって下側から当接支持しつつ、壁材内を流れる水を水受け部で受けて、水受け部から延在する排出路を介して壁外に効果的に排出することができる。なお、本発明に係る壁材の内側には、壁材を構成する壁パネル間の目地部分を含むものとする。
【０００９】
また、前記壁材との間に充填されるシーリング材を保持する第１シーリング保持部を備え、前記排出路は、前記当接支持部及び前記第１シーリング保持部の下方に形成されていると好ましい。
上記構成によれば、壁材と第１シーリング保持部との間にシーリング材が充填されたとしても、当接支持部及び第１シーリング保持部の下方に形成された排出路を通して、壁材の内側を通る水を壁外に排出することができる。
【００１０】
また、前記排出路に繋がるガイド溝部を備え、該ガイド溝部は、前記当接支持部よりも前記他方向側に形成されていると好ましい。
上記構成によれば、当接支持部よりも他方向側に形成されたガイド溝部によって、排出路から壁外のガイド溝部に流れた水を所定の排出位置に案内することができる。
【００１１】
さらに、前記排水部材は、前記壁材に形成された切欠き部に差し込まれて取り付けられるものであり、前記第１シーリング保持部の側方、且つ、下方に形成された第２シーリング保持部を備えると好ましい。
上記構成によれば、第１シーリング保持部と異なる位置に設けられた第２シーリング保持部にシーリング材が充填されることで、壁材の切欠き部の縁との水密性をより高めることができる。
【００１２】
前記当接支持部は、前記第１シーリング保持部から前記一方向側に連続する部位の上に取り付けられた樹脂材料であってもよい。
上記構成によれば、樹脂材料を用いることで当接支持部を容易に形成でき、また、当接支持部が壁材の一部を下側から好適に当接支持することができ、さらに、シーリング材を充填するための第１シーリング保持部との段差を容易に形成することができる。
【００１３】
また、前記水受け部よりも前記他方向側に、前記壁材の壁面との間に充填されるシーリング材を保持する壁面側シーリング保持部を備えると好ましい。
上記構成によれば、壁面側シーリング保持部を備え、当該壁面側シーリング保持部と壁面との間にシーリング材が充填されることで、その水密性をより高めることができる。
【００１４】
また、前記水受け部は、前記壁材内を流れる水を受ける受け皿と、前記排出路以外の前記受け皿の周りに形成された上方に突出する縁部とによって形成されていてもよい。
上記構成によれば、排出路以外の受け皿の周りに形成された上方に突出する縁部によって、受け皿で受けた水が排出路以外に流出することを防止できる。
【００１５】
さらに、前記縁部の少なくとも一部の外面は、樹脂材料によって覆われていると好ましい。
上記構成によれば、縁部の少なくとも一部の外面が樹脂材料によって覆われていることで、壁材に排水部材を取り付け、壁材内の部材に縁部を当接したときに相互間に加わる荷重を緩和することができる。
【００１６】
また、前記当接支持部よりも前記他方向側に、前記壁材の外面側に取り付けられた横架材に取り付けるための取付部を備えると好ましい。
上記構成によれば、排水部材に取付部が設けられていることで、横架材の所定の位置に排水部材を容易に取り付けることができる。
【００１７】
さらに、前記水受け部は、前記排出路に近づくにしたがって下方に傾斜して形成されていてもよい。
上記構成によれば、水受け部が排出路に近づくにしたがって傾斜していることで、壁材内を流れる水を効果的に排出することができる。
【００１８】
さらに、前記課題は、本発明に係る排水構造によれば、壁材の一部を下側から当接支持する当接支持部と、前記当接支持部よりも前記壁材の内側である一方向側に設けられ前記壁材内を流れる水を受ける水受け部と、を備え、前記当接支持部の下方には、前記水受け部から前記一方向側の逆側である他方向側に延在する排出路が形成されていることで解決される。
上記構成によれば、壁材の一部を当接支持部によって下側から当接支持しつつ、壁材内を流れる水を水受け部で受けて、水受け部から延在する排出路を介して壁外に効果的に排出することができる。
【００１９】
また、前記壁材との間に充填されるシーリング材を保持する第１シーリング保持部を備え、前記排出路は、前記当接支持部及び前記第１シーリング保持部の下方に形成されていると好ましい。
上記構成によれば、壁材と第１シーリング保持部との間にシーリング材が充填されたとしても、当接支持部及び第１シーリング保持部の下方に形成された排出路を通して、壁材の内側を通る水を壁外に排出することができる。
【００２０】
また、前記排出路に繋がるガイド溝部を備え、該ガイド溝部は、前記当接支持部よりも前記他方向側に形成されていると好ましい。
上記構成によれば、当接支持部よりも多方向側に形成されたガイド溝部によって、排出路から壁外のガイド溝部に流れた水を所定の排出位置に案内することができる。
【発明の効果】
【００２１】
本発明によれば、壁材の内部に浸入した水を壁外に排出することができる排水部材、及び排水構造を提供することができる。
【図面の簡単な説明】
【００２２】
【図１】外壁に接続された本実施形態に係る排水鋼板付き外部梁を示す斜視図である。
【図２】排水鋼板付き外部梁におけるシーリング材及び笠木を取り付ける前の状態において一部が露出する排水鋼板を示す斜視図である。
【図３】本実施形態に係る排水鋼板を示す斜視図である。
【図４】シーリング材を取り付けた後の図２のIV-IV断面を模式的に示す断面図である。
【図５】図１のV-V断面を模式的に示す図であり、本実施形態に係る排水鋼板による外壁内からの水の排出を説明する説明図である。
【図６】図１のVI-VI断面を模式的に示す図であり、ガイド溝部と笠木との配置関係を説明する説明図である。
【図７】図１のVII-VII断面を模式的に示す図であり、変形例に係る排水鋼板による外壁の内部からの水の排出を説明する説明図である。
【発明を実施するための形態】
【００２３】
以下、壁材内に浸入した水を排出する排水部材及び排水構造の一実施形態について図面を参照しながら説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
【００２４】
（排水鋼板付き外部梁の機能について）
まず、図１及び図２を参照して、本実施形態に係る排水鋼板付き外部梁Ｓの全体構成について説明する。ここで、図１は、外壁１０に接続された本実施形態に係る排水鋼板付き外部梁Ｓを示す斜視図、図２は、排水鋼板付き外部梁Ｓにおけるシーリング材１４（図４参照）及び笠木３を取り付ける前の状態において一部が露出する排水鋼板４を示す斜視図である。
【００２５】
本実施形態に係る壁材としての外壁１０は、複数の壁パネル１０ｘが組み合わせられることによって構成されている。外壁１０における隣接する壁パネル１０ｘの目地１１の部分に交差する部分に正面視長方形状の切欠き部１０ａが形成されている。
排水鋼板付き外部梁Ｓは、切欠き部１０ａを介して外壁１０に取り付けられるものであり、外壁１０の外面に交差するように（本実施形態においては垂直に）外壁１０の外部に露出するように取り付けられ、外壁１０内に浸入した水を排出する機能を有する梁である。
【００２６】
詳細には、排水鋼板付き外部梁Ｓは、外壁１０を構成する隣接する壁パネル１０ｘの間に形成された目地１１が排水鋼板付き外部梁Ｓの幅方向中心に位置するように取り付けられる。なお、後述する排水鋼板４の水受け部４ｃが目地１１の部分に位置することにより、目地１１を通る水を受けることができれば、その取り付け位置は、排水鋼板付き外部梁Ｓの中心に位置するものに限定されない。
【００２７】
排水鋼板付き外部梁Ｓは、本発明に係る横架材を構成する梁本体１、梁本体１の上部に取り付けられる頭ツナギ材２及び頭ツナギ材２の上方を覆う笠木３と、頭ツナギ材２と笠木３の間に設けられる排水鋼板４と、から主に構成されている。
【００２８】
梁本体１は、外壁１０内にある図示せぬフレームに、壁パネル１０ｘに形成された切欠き部１０ａを介して取り付けられる部材である。梁本体１は、詳細には、Ｈ型鋼であるフレーム部材と、フレーム部材の両側に取り付けられるパネル部材とから構成されるものであるが、これらについては図示せずに梁本体１を簡略化して示す。
【００２９】
頭ツナギ材２は、図２に示すように、板状に形成されており、水平面において外壁１０の外面に沿って延在する短尺方向における両端部が下方に折り曲げられて形成されている。頭ツナギ材２は、３本のスペーサーボルト１２によって梁本体１の上部に取り付けられている。このスペーサーボルト１２のうち、排水鋼板４が取り付けられる側の端部側にある１本は、後述する排水鋼板４の取付ブラケット６と頭ツナギ材２とを梁本体１に締結しており、その上部に防水テープ１３が貼着されている。
【００３０】
笠木３は、化粧板として機能するものであり、蓋状に形成され、スペーサーボルト１２や後述する排水鋼板４の上方を覆うように、梁本体１に取り付けられている。詳細には、笠木３における幅方向の両側にある側部３ａ及び奥行き方向の奥側（一方向側ともいう。）にある奥部３ｂ（図５参照）は下方に折り曲がるように形成されている。
【００３１】
（排水鋼板の構造について）
次に、図２に加え、図３及び図４を参照して、本発明に係る排水部材及び排水構造を構成する排水鋼板４の構造について説明する。ここで、図３は、排水鋼板４を示す斜視図、図４は、シーリング材１４を取り付けた後の図２のIV-IV断面を模式的に示す断面図である。
排水鋼板４は、外壁１０の内部を通る水を、その外部に排出する機能を有する。排水鋼板４は、ベース部４ａと、壁パネル１０ｘの面材１０ｘａを下方から当接支持する樹脂ゴム４ｂと、外壁１０内の水を受ける水受け部４ｃと、水の排出方向を案内するガイド溝部５と、から主に構成されている。そして、排水鋼板４は、外壁１０に形成された切欠き部１０ａを介して、外壁１０の内部に水受け部４ｃ側が差し込まれ、外壁１０の外部にガイド溝部５が位置するように、外壁１０の内外に亘って取り付けられる部材である。
【００３２】
ベース部４ａは、排水鋼板４において外壁１０の面材１０ｘａに形成された切欠き部１０ａに挿入される部分である。ベース部４ａは、図３に示す幅方向の長さが長尺に形成された板状の部材であり、その下側（つまり、当接支持部である樹脂ゴム４ｂよりも下方）に、水受け部４ｃから幅方向に垂直な奥行き方向の手前側（他方向側ともいう。）に延在する排出路４ｈが形成されている。このように排出路４ｈが形成されていることで、外壁１０における切欠き部１０ａの上部の縁部とベース部４ａとの間にシーリング材１４が充填されて封止されたとしても、外壁１０の内部を通る水を壁外に排出することができる。
【００３３】
ベース部４ａは、切欠き部１０ａに挿入された状態において、切欠き部１０ａの上縁との間に図４に示すシーリング材１４を充填する空間を形成することで、その空間内に充填されるシーリング材１４を保持する第１シーリング保持部としても機能する。
【００３４】
樹脂ゴム４ｂは、ベース部４ａの図３における奥側に連続する部位の上面に塗布された樹脂材料であるエチレンプロピレンゴム（EPDM）である。換言すると、ベース部４ａにおけるシーリング材１４を充填する空間を形成する部位は、樹脂ゴム４ｂよりも手前側に位置することとなり、樹脂ゴム４ｂよりも低い位置に形成されることとなる。
【００３５】
樹脂ゴム４ｂは、排水鋼板４のベース部４ａの奥側が切欠き部１０ａに挿入されたときに、面材１０ｘａの切欠き部１０ａの上縁を下方から当接支持する本発明に係る当接支持部に相当する。そして、樹脂ゴム４ｂが面材１０ｘａの切欠き部１０ａの上縁を当接支持することで、必然的に切欠き部１０ａの上縁とベース部４ａとの間にシーリング材１４を充填する隙間が形成されることとなる。
また、樹脂材料である樹脂ゴム４ｂをベース部４ａの上面に塗布することによって形成することで、ベース部４ａとの間に段差を容易に形成できる。樹脂ゴム４ｂは、面材１０ｘａの切欠き部１０ａの上縁をその弾性により好適に当接支持することができる。
【００３６】
水受け部４ｃは、外壁１０の内部を通る水を受けるためのものであり、排水鋼板４において、ベース部４ａや樹脂ゴム４ｂよりも奥側（一方向側）に形成されている。水受け部４ｃは、水を受ける部位である受け皿４ｃａと、受け皿４ｃａから水が漏れだすのを防止する縁部４ｃｂと、シーリング材１４を堰き止める後述する留め部４ｇと、から構成されている。
【００３７】
受け皿４ｃａは、ベース部４ａよりも低い高さで、幅方向を長尺として平面状に広がる部位である。
縁部４ｃｂは、平面視において、幅方向に対称のクランク状（角張ったΩ状）に形成されており、受け皿４ｃａの周縁、及び図４に示して後述するシーリング保持部４ｉの縁から上方に突出するように形成されている。さらに、縁部４ｃｂは、排出路４ｈが形成された部位を除いて上方に突出するように形成されている、このため、受け皿４ｃａで受けた水が排出路４ｈ以外に流出することを防止できる。
【００３８】
また、縁部４ｃｂの上面及び外側の側面は、樹脂材料であるEPDMの樹脂ゴム４ｅによって覆われている。このように、樹脂ゴム４ｅによって覆われていることで、外壁１０内に排水鋼板４を取り付けたときに、外壁１０内の他の部材と当接したときに相互間に加わる荷重を緩和することができる。
留め部４ｇは、後述するシーリング保持部４ｉに充填されるシーリング材１４の堰き止めるとともに、受け皿４ｃａ内に水を収める機能を有するものであり、シーリング保持部４ｉと受け皿４ｃａとを隔てるように、上方に突出して形成されている。
【００３９】
ガイド溝部５は、水受け部４ｃから排出路４ｈを通ってガイド溝部５に流入した水が面材１０ｘａの壁面に沿って排出されるように、排水鋼板４の幅方向に水を案内するための部位である。ガイド溝部５は、断面コの字状に形成され、そのコの字の開放側が上側に向けられて、シーリング保持部４ｉの延在方向に沿う方向である図３の幅方向に延在している。特に、ガイド溝部５は、横架材の一部である頭ツナギ材２の幅方向の長さと同じかそれ以上の長さで、頭ツナギ材２の全幅に亘って延在している。このように、ガイド溝部５が形成されていることで、ガイド溝部５の幅方向の両側から排出される水が、頭ツナギ材２上に流れることを抑制することができる。
【００４０】
また、ガイド溝部５は、ベース部４ａや樹脂ゴム４ｂよりも図３における奥行き方向の手前側に隣接して形成されており、ベース部４ａよりも幅方向に長尺に形成されている。ガイド溝部５の奥側且つ下側には、排出路４ｈに繋がる開口が形成されている。
【００４１】
ガイド溝部５に隣接する部位のうち、ベース部４ａの幅方向における両外側には、壁面側シーリング保持部としてのシーリング保持部４ｉがガイド溝部５に沿って幅方向に延在している。このシーリング保持部４ｉは、面材１０ｘａの外面とガイド溝部５との間にシーリング材１４を充填可能な空間を形成しつつ、充填されたシーリング材１４を保持するものである。シーリング保持部４ｉにおける、幅方向の長さはガイド溝部５よりも短く形成されており、奥行き方向の長さは幅方向の長さよりも短く形成されている。シーリング保持部４ｉは、受け皿４ｃａと略同じ高さの位置であって、ベース部４ａや留め部４ｇの上端部よりも低い高さの位置に形成されている。このように、シーリング保持部４ｉによって面材１０ｘａの壁面との間にシーリング材１４を保持できることで水密性を高めることができる。
【００４２】
そして、ベース部４ａを挟む幅方向（側方）の両側の２箇所において、シーリング保持部４ｉに連続してベース部４ａよりも低い位置（下方）に形成され、排出路４ｈに沿う方向である奥行き方向に連続して留め部４ｇまで延在するシーリング保持部４ｆが形成されている。
本発明に係る第２シーリング保持部としてのシーリング保持部４ｆは、詳細には、縁部４ｃｂと留め部４ｇとガイド溝部５とベース部４ａとによって囲まれる空間である。シーリング保持部４ｆは、排水鋼板４が切欠き部１０ａに取り付けられた状態において、切欠き部１０ａの上部の縁の２箇所の隅部の近傍に位置する。シーリング保持部４ｆは、この隅部と排水鋼板４との間にシーリング材１４を上下及び奥行き方向に充填可能なスペースを形成し、このスペースにシーリング材１４が充填されることで、排水鋼板４と切欠き部１０ａの縁部との水密性をより高める機能を有する。
【００４３】
また、樹脂ゴム４ｂよりも奥行き方向手前側にあって、ガイド溝部５における奥行き方向手前側の側面の幅方向中央部には、横架材の一部である頭ツナギ材２に取り付けるための取付部としての取付ブラケット６が取り付けられている。取付ブラケット６は、排水鋼板４をスペーサーボルト１２によって頭ツナギ材２に取り付けるための部材である。取付ブラケット６は、Ｌ字状に屈曲して形成されたプレートから成り、水平に延在する部位における中央部に厚さ方向に貫通する通し孔６ａを有する。この通し孔６ａにスペーサーボルト１２が通されることによって、頭ツナギ材２に取り付けられることとなる。このように、排水鋼板４は、取付ブラケット６を備えることで、頭ツナギ材２への所定の位置に容易に取り付けられることとなる。
【００４４】
（排水鋼板の取付方法及び機能について）
次に、排水鋼板４の取付方法及び機能について、図２〜図４に加えて、図５を参照して説明する。図５は、図１のV-V断面を模式的に示す図であり、排水鋼板４による外壁１０内からの水の排出を説明する説明図である。
隣接する壁パネル１０ｘの間の目地１１には、外方から外壁１０内への水の浸入を抑制する乾式のガスケット１５が取り付けられている。しかしながら、ガスケット１５によっては、外壁１０の外方から外壁１０の内部への水の浸入を完全に防ぐことはできない。このため、ガスケット１５と目地１１（面材１０ｘａと中間ボード１０ｘｂ）との間に形成された図５に示すスペース１５ａ内を水が流れることがある。このような場合に、排水鋼板４を用いることで、外壁１０の内部を流れる水を水受け部４ｃから排出路４ｈを介して外壁１０の外部に排出することができる。
【００４５】
詳細には、図５に示すように、面材１０ｘａの下面を樹脂ゴム４ｂによって下方から支持するように、排水鋼板４におけるベース部４ａ及び水受け部４ｃ側を切欠き部１０ａに挿入するようにして、排水鋼板４を頭ツナギ材２に取り付ける。
そして、切欠き部１０ａの縁部と、排水鋼板４のベース部４ａ、シーリング保持部４ｆとの間、及び面材１０ｘａの壁面とシーリング保持部４ｉとの間にシーリング材１４を充填して、外壁１０の外方からの外壁１０の内部への水の浸入を防止する。
【００４６】
外壁１０の内部であって、ガスケット１５のスペース１５ａを通る水は、水受け部４ｃの受け皿４ｃａによって受け止められる。受け皿４ｃａの周囲にある留め部４ｇ及び縁部４ｃｂは、上記のように受け皿４ｃａよりも上方に突出しているため、水受け部４ｃから外壁１０の内側に水が溢れ出ることを抑制できる。そして、水受け部４ｃに受け止められた水は、水受け部４ｃとガイド溝部５とに連通する排出路４ｈを通って、外壁１０の外にあるガイド溝部５に至ることになる。この水の流れを図５において矢印で示している。そして、ガイド溝部５に至った水は、ガイド溝部５によって外壁１０の壁面に沿うように排水鋼板４の幅方向にガイドされて排出されることになる。
【００４７】
（水の逆流を防ぐ構成について）
上記においては、排水鋼板４を用いて、外壁１０の内部から排出路４ｈを介して外部に水を排出する機能について説明した。このように、外壁１０の外部と内部とを連通する排出路４ｈが形成されていると、例えば台風等の強風強雨の天候のおいて、排水鋼板付き外部梁Ｓの下方から水が吹き上り、排水鋼板４の排出路４ｈを通って、外壁１０内に水が浸入（逆流）することも考えられる。このように水が逆流して外壁１０内に水が浸入することを防ぐ構成について、図５に加えて図６を参照して説明する。なお、図６は、図１のVI-VI断面を模式的に示す図であり、ガイド溝部５と笠木３との配置関係を説明する説明図である。
【００４８】
上記のように、排水鋼板付き外部梁Ｓは、頭ツナギ材２及び排水鋼板４を覆うように取り付けられた笠木３を備える。
この笠木３は、ガイド溝部５のコの字状の開放側を上方から覆うように取り付けられており、外壁１０の面材１０ｘａに対向する奥部３ｂと面材１０ｘａとの間に図５に示すようにシーリング材１４が充填されている。また、笠木３の側部３ａは、ガイド溝部５の幅方向両側の端部よりも下方まで覆うように形成されている。
このように形成された笠木３が頭ツナギ材２に取り付けられ、ガイド溝部５の上方側及び幅方向側を覆うことで、外壁１０の外方から排出路４ｈに雨が浸入することを効果的に抑制することができる。また、スペーサーボルト１２や排水鋼板４の露出を防ぎ、外観を良好にすることができる。
【００４９】
ガイド溝部５の上端に、笠木３との隙間を埋めるような樹脂ゴムが塗布された構成を採用してもよい。また、排出路４ｈは、ガイド溝部５の上方から流れこむ風雨による排出路４ｈへの水の逆流を抑制するため、ガイド溝部５の上端に対して十分に低く形成されていると好ましい。
【００５０】
＜変形例＞
次に、図７を参照して、変形例に係る排水鋼板８について説明する。ここで、上記実施形態と同様の形状、機能を有するものについては、同一名称、同一符号としてその説明を省略し、上記実施形態との相違点を明確にする。
なお、図７は、図１のVII-VII断面を模式的に示す図であり、変形例に係る排水鋼板８による外壁１０の内部からの水の排出を説明する説明図である。
変形例に係る排水鋼板８は、外壁１０の内部からの外部への水の排出を促進する構成を備えるものである。詳細には、排水鋼板８においては、受け皿８ｃａ及び受け皿８ｃａに連続して排出路８ｈの下面を成す部位が、奥行き方向手前側に向かうにつれて、下方に連続して傾斜していることを特徴とする。具体的には、受け皿８ｃａは、排出路８ｈに近づくにつれて下方に傾斜しており、排出路８ｈの下面を成す部位は、この受け皿８ｃａに連続して形成されており、受け皿８ｃａ側からガイド溝部５に近づくにつれて下方に傾斜して形成されている。
【００５１】
このように、受け皿８ｃａ及び排出路８ｈの下面を成す部位が傾斜して形成されていることで、外壁１０の内部のスペース１５ａ内を通り、受け皿８ｃａによって受けられた水は、自重によってガイド溝部５に流れ落ちて排出が促進されることとなる。つまり、スペース１５ａ内を水が大量に流れた場合であっても、受け皿４ｃａ部分においてかさ増しすることを抑制でき、縁部４ｃｂを越えて外壁１０の内部に水が流入することを抑制することができる。
【００５２】
また、上記実施形態においては、排水部材付き横架材として排水鋼板付き外部梁Ｓを例に説明したが、壁材内を通る水を排出するため、壁材の壁面に交差するように取り付けられる部材であればよく、外部梁に適用するものに限定されない。この部材として例えば、壁材としての外壁に取り付けられる腰壁や、外壁に取り付けられうベランダを構成するパラペット等であってもよい。
【００５３】
さらに、排水部材は、目地部分に取り付けるものとして説明したが、壁材内を流れる水を壁外に排出できればよく、目地部分に限定されず、壁材内において水が流れる部分に取り付けるものであってもよい。
【００５４】
また、上記のガイド溝部によれば、外壁の壁面に沿う方向に水をガイドして、壁面に沿って水を排出できるため好適である。しかしながら、壁面に沿わせて水を排出する必要がなければ、ガイド溝部を設けなくてもよい。
【符号の説明】
【００５５】
Ｓ  排水鋼板付き外部梁
１  梁本体（横架材）
２  頭ツナギ材（横架材）
３  笠木（横架材）
３ａ  側部
３ｂ  奥部
４  排水鋼板（排水部材、排水構造）
４ａ  ベース部（第１シーリング保持部）
４ｂ  樹脂ゴム（当接支持部、樹脂材料）
４ｃ  水受け部
４ｃａ  受け皿
４ｃｂ  縁部
４ｅ  樹脂ゴム（樹脂材料）
４ｆ  シーリング保持部（第２シーリング保持部）
４ｇ  留め部（縁部）
４ｈ  排出路
４ｉ  シーリング保持部（壁面側シーリング保持部）
５  ガイド溝部
６  取付ブラケット（取付部）
６ａ  通し孔
８  排水鋼板（排水部材）
８ｃ  水受け部
８ｃａ  受け皿
８ｈ  排出路
１０  外壁（壁材）
１０ａ  切欠き部
１０ｘ  壁パネル
１０ｘａ  面材
１０ｘｂ  中間ボード
１１  目地
１２  スペーサーボルト
１３  防水テープ
１４  シーリング材
１５  ガスケット
１５ａ  スペース
【図１】
2017180036.tif 000003
【図２】
2017180036.tif 000004
【図３】
2017180036.tif 000005
【図４】
2017180036.tif 000006
【図５】
2017180036.tif 000007
【図６】
2017180036.tif 000008
【図７】
2017180036.tif 000009